(57)【要約】【課題】防塵機能を備えると共に小型化を図る。【解決手段】固定筒２５に対して相対移動する摺動筒３２に、視度調整機構が設けられる。摺動筒３２に設けられるシリコーンゴム３８により、固定筒２５と摺動筒３２との隙間が封止される。表示パネル３６および防塵ガラス３５を支持するパネルカバー３３には通気用の開口部３３ｂが形成される。防塵ガラス３５よりも光軸Ｃから遠い位置であって光軸方向から見て視度調整機構と重なる位置に、パネルカバー３３の開口部３３ｂを覆うように通気シート３４が設けられる。【選択図】図７
2020046630.tif 000002
【特許請求の範囲】
【請求項１】
表示装置であって、
第１の筒状部材と、
前記第１の筒状部材に対して相対移動する第２の筒状部材と、
前記第２の筒状部材に設けられ、視度調整するための視度調整機構と、
前記第２の筒状部材に設けられ、前記第１の筒状部材との隙間を封止する封止部材と、
表示パネルおよび防塵ガラスを支持するパネルカバーと、を有し、
前記パネルカバーは、前記防塵ガラスよりも前記表示装置の光軸から遠い位置に、前記表示装置の外部と内部とを繋げる開口部を有し、
前記パネルカバーには、前記防塵ガラスよりも前記光軸から遠い位置であって光軸方向から見て前記視度調整機構と重なる位置に、前記開口部を覆うように、通気性を有するシート部材が設けられたことを特徴とする表示装置。
【請求項２】
前記第２の筒状部材の移動の際に、前記第２の筒状部材の一部と前記パネルカバーの一部とが前記光軸方向に重なり、
前記シート部材は、前記パネルカバーにおける、前記第２の筒状部材と前記光軸方向に重なり得る範囲に配置されたことを特徴とする請求項１に記載の表示装置。
【請求項３】
前記シート部材は、前記光軸方向において前記第２の筒状部材と対向するように配置されたことを特徴とする請求項１または２に記載の表示装置。
【請求項４】
前記シート部材は、前記第２の筒状部材の移動方向に対して垂直に配置されたことを特徴とする請求項１乃至３のいずれか１項に記載の表示装置。
【請求項５】
前記シート部材は、前記光軸方向における前記防塵ガラスがある側から前記開口部を覆うように前記パネルカバーに貼り付けられたことを特徴とする請求項１乃至４のいずれか１項に記載の表示装置。
【請求項６】
前記シート部材は、前記光軸方向から見て前記表示パネルと重なるように配置されたことを特徴とする請求項１乃至５のいずれか１項に記載の表示装置。
【請求項７】
前記第２の筒状部材の移動をガイドする２本のガイドバーを有し、
前記シート部材は前記２本のガイドバーの間に配置されたことを特徴とする請求項１乃至６のいずれか１項に記載の表示装置。
【請求項８】
前記第２の筒状部材の内周部は、前記光軸方向から見て前記表示パネルの外郭の内側に収まることを特徴とする請求項１乃至７のいずれか１項に記載の表示装置。
【請求項９】
前記第２の筒状部材は、前記第１の筒状部材の内側を相対移動し、
前記第２の筒状部材は、外周側に張り出した張出部を有し、前記封止部材は、前記張出部に配置されたことを特徴とする請求項１乃至８のいずれか１項に記載の表示装置。
【請求項１０】
請求項１乃至９のいずれか１項に記載の表示装置を有することを特徴とする撮像装置。
【発明の詳細な説明】
【技術分野】
【０００１】
本発明は、防塵機能を有する表示装置および撮像装置に関する。
【背景技術】
【０００２】
従来、デジタルカメラ、デジタルビデオカメラ等の撮像装置において、電子ビューファインダ等の表示装置を備えるものが知られている。この種の表示装置には、鏡筒を筐体に収納された状態から手前に引き出して使用するものがある。この表示装置では、鏡筒が引き出されて、表示装置の筐体内部の空気の容積が大きく変化する場合がある。筐体内部の容積が変化する際に、筐体を構成する部品同士の隙間から空気が出入りし、筐体内の圧力が外圧と実質的に同一に保たれる。これにより、引き出し操作による鏡筒の移動が円滑になる。
【０００３】
このような表示装置に防塵機能を付与しようとすると、表示装置の筐体は外部に対して密閉されるため、空気の出入りが阻害される。そのため、鏡筒の引き出しの際に筐体内部の容積が変化することで内圧が変化し、筐体内外の空気圧差が生じる。すると、鏡筒引き出しの操作力が過度に重くなるなどの弊害が生じてしまう。そこで、特許文献１には、筐体に設けた通気孔に、空気の通過は許容するが水分の通過は防止する撥水性多孔部材を貼り付けて通気部として機能させることで、内圧調整機構を実現する表示装置が提案されている。
【先行技術文献】
【特許文献】
【０００４】
【特許文献１】特開２０１７−２２３７５９号公報
【発明の概要】
【発明が解決しようとする課題】
【０００５】
しかしながら、特許文献１の表示装置では、撥水性多孔部材が表示装置の外観部に備えられたダストカバーに設けられている。そのため、表示装置が外形方向に大型化してしまい、カメラの本体サイズが大きくなってしまうという問題があった。
【０００６】
本発明は、防塵機能を備えると共に小型化を図ることを目的とする。
【課題を解決するための手段】
【０００７】
上記目的を達成するために本発明は、表示装置であって、第１の筒状部材と、前記第１の筒状部材に対して相対移動する第２の筒状部材と、前記第２の筒状部材に設けられ、視度調整するための視度調整機構と、前記第２の筒状部材に設けられ、前記第１の筒状部材との隙間を封止する封止部材と、表示パネルおよび防塵ガラスを支持するパネルカバーと、を有し、前記パネルカバーは、前記防塵ガラスよりも前記表示装置の光軸から遠い位置に、前記表示装置の外部と内部とを繋げる開口部を有し、前記パネルカバーには、前記防塵ガラスよりも前記光軸から遠い位置であって光軸方向から見て前記視度調整機構と重なる位置に、前記開口部を覆うように、通気性を有するシート部材が設けられたことを特徴とする。
【発明の効果】
【０００８】
本発明によれば、防塵機能を備えると共に小型化を図ることができる。
【図面の簡単な説明】
【０００９】
【図１】表示装置が適用される撮像装置の斜視図である。
【図２】撮像装置の斜視図である。
【図３】撮像装置の斜視図である。
【図４】ファインダユニットの収納状態における斜視図である。
【図５】ファインダユニットの引出状態における斜視図である。
【図６】ファインダユニットの分解斜視図である。
【図７】ファインダユニットの収納状態における縦断面図である。
【図８】ファインダユニットの引出状態における縦断面図である。
【図９】ファインダユニットの収納状態におけるガイドバーの位置での断面図である。
【図１０】ファインダユニットの収納状態におけるボールの位置での断面図である。
【図１１】パネルユニットの斜視図である。
【図１２】摺動筒および表示パネルを＋Ｚ側から見た図である。
【図１３】従来のパネルユニットの斜視図である。
【発明を実施するための形態】
【００１０】
以下、図面を参照して本発明の実施の形態を説明する。
【００１１】
図１、図２、図３は、本発明の一実施の形態に係る表示装置が適用される撮像装置の斜視図である。この撮像装置としてデジタルカメラ１０を例示する。デジタルカメラ１０は、ストロボユニット１１、ポップアップユニット１２、レンズ鏡筒ユニット１３を備える。ポップアップユニット１２は、デジタルカメラ１０の本体に収納された状態（図１）から、デジタルカメラ１０の本体から上方に突出した状態（図２）へと状態移行が可能に構成されている。ポップアップユニット１２をデジタルカメラ１０の本体に収納可能に構成することで、フラットな外観面となる。
【００１２】
以降の説明において、便宜上、デジタルカメラ１０の前後方向をＺ方向とする。Ｚ方向のうち前方と後方を区別するときは、デジタルカメラ１０の前方、すなわちレンズ鏡筒ユニット１３側（被写体側）をマイナス方向（−Ｚ方向）とし、後方をプラス方向（＋Ｚ方向）とする。従って、図１〜図３はデジタルカメラ１０を−Ｚ側（被写体側)から見た斜視図である。Ｚ方向は、レンズ鏡筒ユニット１３の光軸（撮影光軸）方向と平行である。
【００１３】
ポップアップユニット１２は、表示装置としての電子ビューファインダユニット（以下、ファインダユニットと記す）１４（図３）を内包している。図２、図３では、デジタルカメラ１０の本体からポップアップユニット１２が上方に突出した状態が示されている。ポップアップユニット１２が上方に突出した状態で、ファインダユニット１４はポップアップユニット１２に対してＺ方向に収納及び引き出しが可能に構成される。ユーザは、ファインダユニット１４の外観に露出している接眼ラバー１６（第４の筒状部材）を後方（＋Ｚ方向）に引き出すことで、使用可能な「引出状態」（図３）へ移行可能である。図２では、ファインダユニット１４が収納状態であり、図３では、ファインダユニット１４が引出状態である。引出状態において、ユーザは視度調整機構（後述）により視度を合わせると、ファインダユニット１４の内部に設けられた表示パネル３６（図６〜図１２）に表示される画像をぼやけることなく確認することができる。
【００１４】
図４、図５は、ファインダユニット１４の収納状態、引出状態における斜視図である。ファインダユニット１４の上面側に視度調整レバー２８が設けられている（図５）。視度調整レバー２８は、ユーザの視力に合わせてファインダユニット１４の視度を調整するための操作部材である。ファインダユニット１４を引き出して引出状態にすることで、ユーザは、視度調整レバー２８を操作可能となる。引出状態時にのみ視度調整レバー２８を操作可能に構成とすることで、ユーザに合わせ済みの視度設定が意図せずに変更されることを避けることができる。
【００１５】
図６は、ファインダユニット１４の分解斜視図である。図７、図８はそれぞれ、ファインダユニット１４の収納状態、引出状態における縦断面図である。ファインダユニット１４は、第１のレンズ２２および第２のレンズ２０を有する。これら第１のレンズ２２および第２のレンズ２０の光軸をファインダユニット１４の光軸Ｃとする（図７）。レンズ２２、２０の光軸方向は、Ｚ方向と略平行である。ファインダユニット１４は、２本のガイドバー２６、および２個のボール３０を有する（図６）。
【００１６】
図９は、ファインダユニット１４の収納状態におけるガイドバー２６の位置での断面図である。図１０は、ファインダユニット１４の収納状態におけるボール３０の位置での断面図である。図１１はパネルユニット４４の斜視図である。
【００１７】
図６に示すように、レンズホルダ２３（第３の筒状部材）は、レンズカバー１９と係合固定されることにより、第１のレンズ２２と、マスク２１と、第２のレンズ２０とを固定的に保持する。レンズホルダ２３にはカムフォロワ３７が設けられる。摺動筒３２（第２の筒状部材）の内側には、レンズホルダ２３をＺ方向に直進ガイドするための嵌合溝部が設けられている。摺動筒３２の上部には、視度調整レバー２８とＯリング２９とカム２７とで構成される「視度調整機構」が設けられる（図７、図８参照）。レンズホルダ２３のカムフォロワ３７をカム２７に対して付勢するためのバネ１８が設けられている。バネ１８は、光軸Ｃを中心とする半径方向において接眼ラバー１６とレンズホルダ２３との間に設けられている。バネ１８がレンズホルダ２３を−Ｚ方向に付勢することで、カムフォロワ３７がカム２７に押し付けられている。ユーザが視度調整レバー２８を動かすことで、摺動筒３２に対してレンズホルダ２３をＺ方向（光軸方向）に相対移動させることが可能である。
【００１８】
図９に示すように、パネルカバー３３には、ガイドバー２６を支持するための穴４６、４７が形成されている（図１１も参照）。固定筒２５（第１の筒状部材）にもガイドバー２６を支持するための穴が形成されている。ガイドバー２６は、光軸方向における固定筒２５とパネルカバー３３との間に、光軸方向と略平行に配置され、固定筒２５とパネルカバー３３とにより両持ち状態で支持される。摺動筒３２の外周部には、外周側に張り出した張出部４１が形成されている。張出部４１にはガイドバー２６が貫通するためのガイド穴４２が形成されている。固定筒２５とパネルカバー３３とは互いに係合している。摺動筒３２は、ガイドバー２６にガイドされて、固定筒２５に対してＺ方向（光軸方向）に相対移動可能に構成されている。両持ち固定されたガイドバー２６に沿って摺動筒３２が固定筒２５に対して移動するので、摺動筒３２を精度良く動かすことができる。
【００１９】
また、張出部４１を含む、光軸方向に直交する摺動筒３２の外周部には、固定筒２５と摺動筒３２との隙間を密閉しながら、摺動筒３２が摺動するためのシリコーンゴム３８（封止部材）が全周に配置されている。張出部４１は、摺動筒３２の−Ｚ方向の端部に配置されている。このような配置により、接眼ラバー１６を引き出して引出状態にしたとき、表示パネル３６の表示面から接眼ガラス１５までの光学全長を長くすることができ、光学性能の向上が図られる。なお、固定筒２５と摺動筒３２との隙間を密閉できる部材であれば、封止部材の素材は問わない。
【００２０】
図１０に示すように、固定筒２５にはボール穴３９が形成されている。摺動筒３２には、光軸方向の異なる２箇所に、ボール溝４０（４０Ａ、４０Ｂ）が形成されている。ボール３０が、ボール穴３９といずれかのボール溝４０に嵌った状態で、ボール３０を板バネ３１が光軸方向と直交する方向に付勢することで、固定筒２５に対する摺動筒３２の光軸方向の位置を、２つの安定位置に規制できる。すなわち、ボール３０がボール穴３９とボール溝４０Ａとに嵌った状態で、板バネ３１により付勢されることで、図１０に示す収納状態に規制される。ボール３０がボール穴３９とボール溝４０Ｂとに嵌った状態で、板バネ３１により付勢されることで、引出状態に規制される。
【００２１】
接眼ラバー１６と摺動筒３２とはスナップフィットにより結合される。ユーザが接眼ラバー１６を＋Ｚ方向に引き出すことで、固定筒２５に対して、３つの筒状部材（接眼ラバー１６、摺動筒３２、レンズホルダ２３）が一体的に相対移動し、引出状態（図５）となる。図６に示すスイッチ２４は固定筒２５に固定されている。スイッチ２４は、接眼ラバー１６が収納状態にあるか引出状態にあるかを検知できるように配置されている。
【００２２】
接眼ラバー１６には、表示パネル３６に表示された画像を覗くための開口部が設けられている。接眼ラバー１６の開口部には、外部からゴミが侵入してレンズ部等に付着することを防ぐために、透明の接眼ガラス１５が固定される。パネルカバー３３には、表示パネル３６に表示された画像を覗くための開口部３３ａ（図７、図８）が設けられている。表示パネル３６はパネルカバー３３に固定支持されている。また、表示パネル３６の＋Ｚ方向の面には、外部から侵入したゴミが付着するのを防ぐために、パネルカバー３３の開口部３３ａに防塵ガラス３５が固定される（図７、図８、図１１）。このような構成により、表示パネル３６から接眼ガラス１５までの間を、ゴミが入らないように密閉可能となる。
【００２３】
また、パネルカバー３３には、ファインダユニット１４の外部と内部とを繋げる通気用の開口部３３ｂが設けられている（図７、図８）。開口部３３ｂは、通気シート３４で覆われている。通気シート３４は通気性があるシート部材であり、例えば１μｍより大きなゴミ等の粒子を通さない。通気シート３４の配設の詳細については後述する。通気シート３４を設けるのは、ユーザが、引出・収納操作を行った際に、密閉空間の圧力が急激に変化して微小な隙間からゴミ等を含んだ空気が出入りしないようにするためである。通気シート３４により構成される通気孔により、密閉空間の圧力の急激な変化が緩和される。
【００２４】
図１１に示すように、パネルユニット４４は、パネルカバー３３と防塵ガラス３５などがユニット化されて成る。パネルユニット４４は、主に、表示パネル３６を保持している部分（図１１には不図示）と、防塵ガラス３５を保持している凸部４３とを有する。図１２は、摺動筒３２および表示パネル３６を光軸方向における＋Ｚ側から見た図である。図１２に示すように、穴４６、４７は、投影面内、すなわち光軸方向から見て表示パネル３６の外郭３６ａの内側に位置する。従って、穴４６、４７に支持される２本のガイドバー２６は、光軸方向から見て外郭３６ａの内側に位置する。また、摺動筒３２の内周部４５も、光軸方向から見て外郭３６ａの内側に収まっている。これらにより、光軸方向に垂直な方向における小型化に寄与している。
【００２５】
ところで、摺動筒３２の移動の際に、摺動筒３２の一部とパネルカバー３３の一部とが光軸方向に重なる。すなわち、収納状態においては、摺動筒３２とパネルカバー３３の凸部４３とは光軸方向（Ｚ方向）に長さαの範囲で重なっている（図７、図１０）。言い換えると、光軸方向に直交する方向から見て、摺動筒３２と凸部４３とが重なる。収納状態において凸部４３の周囲に摺動筒３２が位置することで、ファインダユニット１４を長さαの分だけ小型化することができる。図１３は、従来のパネルユニット１４４の斜視図である。従来のパネルユニット１４４では、防塵ガラス３５の周囲におけるパネルカバー３３の形状がフラット形状であるため、摺動筒３２とパネルカバー３３を光軸方向に重ねて配置することができない。
【００２６】
図７に示すように、パネルカバー３３の通気用の開口部３３ｂは、防塵ガラス３５よりも光軸Ｃから遠い位置に形成されている。通気シート３４は、防塵ガラス３５よりも光軸Ｃから遠い位置であって光軸方向から見て視度調整機構（カム２７、視度調整レバー２８、Ｏリング２９）と重なる位置に配置される。これにより、ファインダユニット１４を大型化することなく通気シート３４の面積を大きくとることができている。特に光軸Ｃに直交する方向においてファインダユニット１４の小型化を図ることができる。
【００２７】
また、通気シート３４は、光軸方向における防塵ガラス３５がある側から開口部３３ｂを覆うようにパネルカバー３３に貼り付けられている。この反対側である、表示パネル３６のある側から通気シート３４に貼り付けた場合と比べると、通気シート３４と表示パネル３６とが光軸方向から見て重なる長さβの範囲（図７）だけ、通気シート３４の配設面積を大きく確保することができている。また、通気シート３４は、光軸方向から見て表示パネル３６と重なる。また、通気シート３４は、光軸方向に垂直な方向において穴４６、４７の間、従って２本のガイドバー２６の間に位置する（図１１）。これらにより、スペースを有効に利用し、光軸Ｃに直交する方向における小型化に寄与している。
【００２８】
上述したように、通気シート３４は、光軸Ｃに対して凸部４３の外側に配置され、従って、パネルカバー３３における、摺動筒３２と光軸方向に重なり得る範囲に配置される。さらに、通気シート３４は凸部４３の外側で張出部４１に対向した位置に配置されている（図７、図８、図１１）。また、通気シート３４は摺動筒３２の移動方向である光軸方向に対して垂直に配置される。これらにより、光軸方向におけるファインダユニット１４の短縮化に寄与する。
【００２９】
なお、通気シート３４は、パネルカバー３３における、引出・収納操作時の移動方向に対して垂直な面に貼り付けられていることで、通気されやすい構造となっている。
【００３０】
本実施の形態によれば、防塵ガラス３５よりも光軸Ｃから遠い位置であって光軸方向から見て視度調整機構と重なる位置に、パネルカバー３３の開口部３３ｂを覆うように通気シート３４が設けられる。これにより、ファインダユニット１４に防塵機能を備えると共に、ファインダユニット１４、ひいてはデジタルカメラ１０の本体の小型化を図ることができる。
【００３１】
なお、本発明の表示装置が適用される電子機器は撮像装置に限らない。本発明の表示装置を撮像装置に適用する場合でも、その撮像装置はデジタルカメラ１０に限らず、デジタルビデオカメラであってもよい。また、表示装置はカメラ等の装置と別体でもよいし、一体に構成されてもよい。
【００３２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３３】
１４  ファインダユニット
２５  固定筒
２８  視度調整レバー
３２  摺動筒
３３  パネルカバー
３３ｂ  開口部
３４  通気シート
３８  シリコーンゴム
【図１】
2020046630.tif 000003
【図２】
2020046630.tif 000004
【図３】
2020046630.tif 000005
【図４】
2020046630.tif 000006
【図５】
2020046630.tif 000007
【図６】
2020046630.tif 000008
【図７】
2020046630.tif 000009
【図８】
2020046630.tif 000010
【図９】
2020046630.tif 000011
【図１０】
2020046630.tif 000012
【図１１】
2020046630.tif 000013
【図１２】
2020046630.tif 000014
【図１３】
2020046630.tif 000015